【手続補正書】
【提出日】平成17年12月7日(2005.12.7)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  吸込力を発生する電動送風機を内蔵する本体と、前記電動送風機の吸引力が作用し被掃除面の塵埃を吸い込むための床ノズルと、フィルターと吸気口を有し、前記床ノズルからの塵埃を集塵する有底のダストボックスからなる集塵部とを備え、前記本体に前記ダストボックスの開口端と嵌合する嵌合部と、底部を設置する台座部とを設け、前記ダストボックスの外側面に把手部を回動自在に取り付け、把手部の一端にダストボックス底部と台座部の間に挿入される挿入部とを形成した電気掃除機。
【請求項２】  吸込力を発生する電動送風機を内蔵する本体と、前記電動送風機の吸引力が作用し被掃除面の塵埃を吸い込むための床ノズルと、フィルターと吸気口を有し、前記床ノズルからの塵埃を集塵する有底のダストボックスからなる集塵部とを備え、前記本体に前記ダストボックスの上面と嵌合する嵌合部と、底部を載置する台座部とを設け、前記ダストボックスの外側面に把手部を回動自在に取り付け、把手部の下端にダストボックス底部と台座部の間に挿入される挿入部とを形成した電気掃除機。
【請求項３】  ダストボックスは略円筒形の断面を有し、吸気口は前記ダストボックスの側壁に略接線方向に設けた請求項１または２記載の電気掃除機。
【請求項４】  ダストボックスの底部に、挿入部が挿入された位置で台座部と係合する係止部を設けた請求項１〜３のいずれか１項に記載の電気掃除機。
【請求項５】  把手部の下端に台座部と係合する把手部の弾性変形を利用した係止爪部を形成した請求項１〜４のいずれか１項に記載の電気掃除機。
【請求項６】  把手部は上端及び下端をダストボックスに形成したガイド部と摺動変位自在に構成した請求項１〜５のいずれか１項に記載の電気掃除機。
【発明の詳細な説明】
【０００１】
【発明の属する技術分野】
本発明は、ダストボックスを電気掃除機本体に着脱する構成に関するもので特にダストボックスの内周面に沿って回転する渦流のサイクロン作用による遠心力で集塵する集塵部を備えた電気掃除機に関するものである。
【０００２】
【従来の技術】
従来、電気掃除機本体へのダストボックスの着脱構造は特公平５−４９２８２に示されているように構成されていた。以下、その構成について図１３および図１４に基ずいて説明する。
【０００３】
図に示すように、ダストボックス１は不織布からなるフィルター体２を内蔵し、吸引力を発生する電動送風機５をサポートゴムマエ３とサポートゴムウシロ４により内部に保持する本体６と床ノズル７との間で、吸気パッキン８とフィルターパッキン９により気密に装着されている。１０は本体に装着され電源スイッチ１１を備えたハンドルであり、１２は電源コードである。
【０００４】
ダストボックス１には上面に凹部を形成して把手部１３を構成し、同じく上面に尾錠１４を摺動自在に取り付けてある。
【０００５】
上記構成において、電源スイッチ１１で電動送風機５を運転すると床ノズル７から吸引された塵埃はフィルター体２によって捕集されダストボックス１内に集められる。そしてダストボックス１に塵埃が満杯になれば把手部１３に手を挿入して保持しながら、尾錠１４を摺動させて係合を解除して本体から取り外し、フィルター体２を取りはずすことにより塵埃を放出できるものである。
【０００６】
【発明が解決しようとする課題】
このような従来の構成では、把手部１３はダストボックス１の外郭の一部を変形させて構成した凹部としているため、指を折り曲げて握れる形状になっていない。そのため、持ち運び時に手からダストボックス１がはずれてしまったり、保持するのに力が必要なため高齢者や子供に使いにくいものであった。又把手部１３を持って尾錠１４を操作する必要があるため、指の力が必要であり、高齢者には使いにくいものであった。そして尾錠１４を構成するための別部品が必要で部品点数が多く構造が複雑になり製造原価を高くするという問題を有していた。
【０００７】
又、把手部１３をダストボックス１の外郭に凹部を形成して構成しているため、ダストボックス１の内周面は凹凸を有する異形状にならざるを得ず、サイクロン作用による遠心力を利用して集塵する集塵部を構成するためには、基本的な欠陥を有するものであった。
【０００８】
本発明は上記従来の課題を解決するもので、部品点数が少なく、簡単な構造で使い勝手の良いダストボックスの保持、係止構造を提供するものである。
【０００９】
又、特にサイクロン作用による遠心力を利用して集塵する構成の集塵部を本体から着脱する際に適した、使い易い保持、係止構造を提供するものである。
【００１０】
【課題を解決するための手段】
本発明の電気掃除機は、上記目的を達成するために、本体にダストボックスの開口端と嵌合する嵌合部と、底部を設置する台座部とを設け、ダストボックスの外側面に把手部を回動自在に取り付け、把手部の一端にダストボックス底部と台座部の間に挿入される挿入部とを形成したものである。
【００１１】
これにより、持ちやすく部品点数が少なく簡単な構造のダストボックスの把手部を構成することができ、使い勝手を向上することができる。
【００１２】
また、本発明の電気掃除機は、前記ダストボックスの断面を略円筒状とし、上記吸気口をダストボックスの側壁に略接線方向に設けたものである。
【００１３】
これにより、電動送風機の吸引力により、床ノズルの下面よりダストボックス内に吸い込まれた塵埃を含む空気は、ダストボックス内で遠心力で集塵されて高い集塵性能を得ることができ、また、ダストボックス内に溜まる塵埃の量を多くすることができて、使い勝手がよい電気掃除機を実現することができる。
【００１４】
【発明の実施の形態】
本発明の請求項１、２に記載の発明は、吸込力を発生する電動送風機を内蔵する本体と、前記電動送風機の吸引力が作用し被掃除面の塵埃を吸い込むための床ノズルと、フィルターと吸気口を有し、前記床ノズルからの塵埃を集塵する有底のダストボックスからなる集塵部とを備え、前記本体に前記ダストボックスの開口端と嵌合する嵌合部と、底部を設置する台座部とを設け、前記ダストボックスの外側面に把手部を回動自在に取り付け、把手部の一端にダストボックス底部と台座部の間に挿入される挿入部とを形成したものであり、把手部を握りやすい形状にできると共に尾錠を使用することなくダストボックスを本体に装着させることができるものであり、部品点数が少なく、簡単な構造の使い勝手の良い把手部を構成することができる。
【００１５】
請求項３に記載の発明は、上記請求項１に記載の発明においてダストボックスを略円筒形の断面とし、前記吸気口はダストボックスの側壁に接線方向に設けたものであり、電動送風機の吸引力によりダストボックス内に吸い込まれた塵埃を含む空気がダストボックスの側壁に沿った渦流となって回転し、そのサイクロン作用による遠心力によって集塵する際、空気中の大きな塵埃はダストボックスの底部に溜まり、小さな塵埃がフィルターに付着することにより、フィルターの通風圧損を長期にわたって小さくすることができ、高い集塵性能を得ることができる。又この時ダストボックス内には内部に突出するものがないので、サイクロン効果を効率よく発揮することができるものである。
【００１６】
請求項４に記載の発明は、前記ダストボックスの底部に、前記挿入部が挿入された位置で台座部と係合する係止部を設けたものであり、挿入部を挿入すると同時にダストボックスは本体に確実に係止されるので、装着後ダストボックスに外力が作用しても本体との係合が簡単にはずれることはなく、信頼性の高い係合構造とすることができる。また、部品点数が少なく、簡単な構造で使い勝手の良い係合構成を得ることができるものである。
【００１７】
請求項５に記載の発明は、把手部の下端に台座部と係合する把手部の弾性変形を利用した係止爪部を形成したものであり、別部品によることなく一体で尾錠結合をさせることができダストボックスの着脱を把手部を挿入する操作のみで行うことができるので、部品点数を少なくし、簡単な構成で使い勝手の良い把手部構成を得ることができるものである。
【００１８】
請求項６に記載の発明は、把手部は上端及び下端をダストボックスに形成したガイド部と摺動変位自在に構成したものであり、挿入部の変位量に比較して把手部の回動変位量を少なくできるのでガイド部を小型に構成できると共に、挿入部が平面上で変位できるので、ダストボックスの底部を平面で構成でき据え置きし易く使い勝手の良いものにすることができるものである。
【００１９】
【実施例】
以下、本発明の実施例について、図面を参照しながら説明する。
【００２０】
図１に示すように、掃除機本体２０は、吸引力を発生する電動送風機２１を内蔵し、下部前方に、下面に吸込口２２ａを開口させた床ノズル２２を設けるとともに下部後方にローラー２３を設け、掃除機本体２０の上部に着脱自在に設けたハンドル部２４及び本体２０と一体に形成した持ち手部２５を操作することにより被掃除面を移動可能にしている。
【００２１】
床ノズル２２には、被掃除面の塵埃を掻き上げる回転ブラシ２６を設け、電動送風機２１の吸引力が作用して被掃除面の塵埃を吸い込むよう構成している。
【００２２】
電動送風機２１は、ファン部２７と、このファン部２７を駆動するモータ２８とで構成し、モータ２８を直流モータで構成し、モータ入力４０Ｗ、ファン出力２０Ｗの低入力型モータを使用している。電池２９はモータ２８を駆動するもので、ニッケル−カドミウム電池１０セル（１．２Ｖ／セル）を使用し、モータ２８に１２Ｖを印加し、電流３．３Ａを流すようにしている。この電池２９では２５分の連続運転が可能となる。
【００２３】
ここで、電動送風機２１を構成するモータ２８を低入力型モータとすることにより、モータ２８そのものを小型にできるとともに、モータ２８を電池２９により駆動する場合に、電池２９を小型、軽量にでき、掃除機本体の重量を軽量にできる。
【００２４】
また、モータ２８を電池２９で駆動することにより、掃除する際、コードレスとして被掃除面に対して床ノズル２２を自在に移動させることができ、使い勝手を向上することができるとともに、ちょっとした掃除も手軽に、かつ簡単に掃除することができ、しかも、モータ２８が低消費電力、低入力型であるので、電池２９で駆動するようにしても、長時間掃除することができる。
【００２５】
ダストボックス３０は、図５〜図７に示すように、有底に形成するとともに、内部に吸気する吸気口３１をダストボックス３０の側壁に略接線方向に設けている。ダストボックス３０の上端開口部３２を覆うように蓋体３３を取り付け、この蓋体３３に排気口３４を設けている。また、ダストボックス３０の上端開口部３２を覆うようにフィルター３５を取り付けている。
【００２６】
ダストボックス３０に蓋体３３とフィルター３５を取り付けた状態で、掃除機本体２０に着脱自在に取り付け、電動送風機２１の吸引力により床ノズル２２より吸気通路３６を通して、ダストボックス３０内に吸気し、サイクロン作用を発生させ、フィルター３５を通して排気孔３７より排気通路３８を通して電動送風機２１の排気の一部を床ノズル２２の吸込口２２ａに導いている。ここで、図１１に示すように、フィルター３５の下部が吸気口３１より上方に位置するようにしている。
【００２７】
ダストボックス３０は、下部に上端開口部の面積より底部の面積が小さくなるように傾斜部３９を設けている。さらに、ダストボックス３０の上端開口部３２にフィルター３５の外周を嵌合する段落とし部４０を形成している。
【００２８】
また、ダストボックス３０の外側面に持ち運び用の把手部４１を設け、この把手部４１により掃除機本体２０に着脱自在に取り付け可能とし、掃除機本体２０に取り付けたとき、床ノズル２２に連通した吸気通路３６に吸気口３１を圧接して気密に連結できるように構成している。
【００２９】
上記構成において動作を説明する。ダストボックス３０に蓋体３３とフィルター３５を取り付けた状態で、掃除機本体２０に着脱自在に取り付け、運転を開始すると、床ノズル２２より、吸気通路３６、ダストボックス３０の吸気口３１、フィルター３５および蓋体３３の排気口３４を通る経路で電動送風機２１の吸引力が作用し、この電動送風機２１の吸引力により、回転ブラシ２６により掻き上げられた被掃除面の塵埃を床ノズル２２より吸い込む。この吸い込まれた塵埃は、空気とともに床ノズル２２に連通した吸気通路３６を通して、吸気口３１よりダストボックス３０内に略接線方向に導入される。
【００３０】
吸気口３１から略接線方向に導入された塵埃を含む空気は、ダストボックス３０の内周面に沿った渦流となって回転しながら下降し、下端近くまで下降すると、流れは反転上昇を始め、ダストボックス３０の中心部を回転しながら排気口３４へと上昇していく。
【００３１】
このとき、サイクロン作用による遠心力によって、空気中の塵埃はダストボックス３０の内壁面に沿って下降し、大きな塵埃はダストボックス３０の底部に集積され、微細な塵埃はダストボックス３０のほぼ中心部を反転上昇して、フィルター３５に付着する。
【００３２】
すなわち、サイクロン作用による遠心力によって集塵することによって、電動送風機２１の吸引側に流れ込もうとする塵埃を減らすことができ、したがって、その塵埃を除去するフィルター３５に付着する塵埃の量はきわめて少なくなる。特に、ダストボックス３０の底面から離れるにしたがって塵埃の舞い上がりの影響は少なくなり、排気口３４に近い位置では舞い上がりによる塵埃の付着も低く抑えることができる。
【００３３】
このように、ダストボックス３０の底面から離れた位置にフィルター３５を設けることにより、ダストボックス３０内に溜まった塵埃を捨てるたびにフィルター３５を掃除しなくても目詰まりすることがなく、高い集塵性能を得ることができるとともに、使い勝手を向上することができる。
【００３４】
また、部品点数が少なく、簡単な構造のダストボックス３０内で遠心力集塵ができ、ダストボックス３０内には内部に突出するものがないので、遠心力集塵によりダストボックス３０内に溜まる塵埃の量を多くすることができ、使い勝手を向上することができる。
【００３５】
また、フィルター３５の下部が吸気口３１より上方に位置するように構成しているので、電動送風機２１の吸引力により、吸気口３１よりダストボックス３０内に導入された塵埃を含む空気がダストボックス３０の内周に沿った渦流となって回転する際、フィルター３５に塵埃を含む空気が直接当たることがなく、サイクロン作用による遠心力によって円滑に集塵することができ、集塵性能を向上することができる。
【００３６】
また、ダストボックス３０の下部に、上端開口部３２の面積より底部の面積が小さくなるように傾斜部３９を設けているので、電動送風機２１の吸引力により、吸気口３１よりダストボックス３０内に導入された塵埃を含む空気がダストボックス３０の内周に沿った渦流となって回転する際、ダストボックス３０の下部へ回転しながら下降するにしたがって、回転速度が上昇し、サイクロン作用による遠心力集塵性能を向上することができる。
【００３７】
また、ダストボックス３０の上端開口部３２にフィルター３５の外周を嵌合する段落とし部４０を形成しているので、フィルター３５の外周をダストボックス３０の段落とし部４０に嵌合することにより、フィルター３５をダストボックス３０の上端開口部３２に隙間を介することなく取り付けることができ、遠心力集塵したとき、小さな塵埃が上端開口部３２よりダストボックス３０外に漏出するのを防止することができる。
【００３８】
次に本発明によるダストボックスの把手部４１の構成について説明する。
ダストボックス３０の外側面４２には把手部４１の上端に形成した軸部４３と摺動自在に係合するガイド部Ａ４４を一体に設け、底部には把手部４１の下端に一体に形成した断面円形の挿入部４６を支える保持部４７を摺動自在に案内するガイド部Ｂ４８を設けてある。ガイド部Ｂ４８は略水平部を有し、本体２０に設けた台座部４９に一体に形成した凸部５０と係合する係止部５１を設けてある。又上記保持部４７には同じく台座部４９に一体に形成した段部５２と係合する係止爪部５３を設け、さらにガイド部Ｂ４８に係止爪部５３に当接する曲げ部５４を形成し抜け止め構造にしてある。本体２０の電動送風機２１を内蔵している部位の下方にはダストボックス３０の上面と嵌合する嵌合部５５を形成してある。
【００３９】
上記構成において動作を図１０〜１２により説明する。ダストボックス３０は図５に示すように把手部４１を引き出した状態で把手部４１を握ることにより単独に持ち運びできる。そしてこの時底面に設けた突起５６によって据え置きすることができるようになっている。この状態から、図１０に示すようにダストボックス３０の底部を本体２０の台座部４９に載置させ把手部４１を押し込むと保持部４７は図１１に示すようにガイド部Ｂ４８に従って水平方向に変位し、挿入部４６は台座部４９に形成した傾斜面５７に沿ってダストボックス３０の下端を押し上げながら、台座部４９の水平部５８とダストボックス３０の下端中央に形成した受け部５９との間に挿入され、ダストボックス３０の上面を本体２０の嵌合部５５に嵌合させて固定する。この時ダストボックス３０の蓋体３３は電動送風機２１を本体２０に保持している弾性体からなる支持体６０と気密に圧接すると同時に下方への圧接力を受けるのでその摩擦力によってダストボックス３０は本体２０に保持されるものである。さらに上方に傾斜した端面を有する吸気口３１も、同じく上方に傾斜させた吸気通路３６の接続口（図示せず）と、ダストボックス３０が上方向に変位するに従って気密に圧接できるようになっている。
【００４０】
そして、把手部４１が押し込まれた位置では、係止爪部５３は段部５２と、係止部５１は凸部５０と係合しており、把手部４１は外力無しにははずれることがなく、又ダストボックス３０自体に外力が作用しても本体２０からははずれないように構成されている。
【００４１】
次にダストボックス３０を本体２０から取り出す時は、図１２に示すように把手部４１を引き出し、係止爪部５３と段部５２の係合を解除すれば挿入部４６がはずれると同時にダストボックス３０は下方に移動して嵌合部からはずれると共に、係止部５１と凸部５０との位置がずれるので、容易に取り出せることができるものである。
【００４２】
そしてガイド部Ａ４４及びガイド部Ｂ４８は把手部４１と相互に摺動する構成になっているので、ダストボックス３０の前後及び上下に変位スペースを最小限にでき、全体をコンパクトに構成できるものである。
【００４３】
尚、本実施例では開口端を上方に設けた構成としたが、左右及び下方に設けても良い。さらにサイクロン作用による遠心力で集塵するダストボックス構成としたが、通常の集塵部を構成するダストボックスであっても良いことは明らかである。
【００４４】
【発明の効果】
以上のように本発明の請求項１記載の発明によれば、把手部を握り易い形状にしてダストボックスを本体に装着できるので、高齢者にも使い勝手の良い把手部を構成できる。
【００４５】
又、本発明の請求項２記載の発明によれば請求項１記載の発明の効果に加え開口端を上方に設けたので、塵捨て時ごみの舞いあがり等が無く使い勝手が良い。
【００４６】
そして、本発明の請求項３記載の発明によれば、ダストボックスは略円筒形の断面を有し、吸気口は前記ダストボックスの側壁に略接線方向に設けたのでサイクロンによる遠心集塵効果で長い時間吸込み力を維持できる。
【００４７】
さらに、本発明の請求項４記載の発明によれば、ダストボックスの底部に、挿入部が挿入された位置で台座部と係合する係止部を設けたので、ダストボックスに外力が働いても簡単に外れる事が無い。
【００４８】
さらに、本発明の請求項５記載の発明によれば、把手部の下端に台座部と係合する把手部の弾性変形を利用した係止爪部を形成したので、尾錠等の別部品を必要とせず部品点数を削減できる。
【００４９】
そして、本発明の請求項６記載の発明によれば、把手部は上端及び下端をダストボックスに形成したガイド部と摺動変位自在に構成したので前後及び上下に変位スペースを最小限にでき全体をコンパクトに構成できるものである。
【図面の簡単な説明】
【図１】
本発明による実施例のダストボックスを備えた電気掃除機の縦断面図
【図２】
同外観斜視図
【図３】
同正面図
【図４】
同背面図
【図５】
同ダストボックスの全体構成を示す縦断面図
【図６】
同平面図
【図７】
同蓋体を除いた平面図
【図８】
同ダストボックスを除いた縦断面図
【図９】
同横断面図
【図１０】
同ダストボックス装着前の状態を示す縦断面図
【図１１】
同ダストボックスを装着した状態を示す拡大部分断面図
【図１２】
同ダストボックスを取り出すときの状態を示す部分拡大図
【図１３】
従来の電気掃除機のダストボックス構造を示す縦断面図
【図１４】
同外観斜視図
【符号の説明】
２０  本体
２１  電動送風機
２２  床ノズル
３０  ダストボックス
３１  吸気口
３５  フィルター
４１  把手部
４６  挿入部
４９  台座部
５５  嵌合部
【手続補正２】
【補正対象書類名】図面
【補正対象項目名】図５
【補正方法】変更
【補正の内容】
【図５】
2001078938.tif 000001